【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
物品に据え付け可能な固定デバイスにおいて、
前記固定デバイスは、
ガイド構造を備える本体と、
前記物品を前記固定デバイスに締結するために前記ガイド構造に対して動くことができる締結構成と、
締結位置と非締結位置との間で前記ガイド構造に対して前記締結構成を付勢するように動作可能な付勢構成と、ここにおいて、前記ガイド構造は、前記締結構成を前記締結位置にガイドするように構成され、
前記締結構成が前記締結位置に動かされるときに、前記付勢構成によって、非表示状態から表示状態に動くことができるインジケータと、ここにおいて、前記本体は、前記インジケータが前記非表示状態から前記表示状態に動くことができる空間を規定し、
前記空間にわたって拡張するウェブと、ここにおいて、前記インジケータが前記表示状態であるとき、前記インジケータは前記ウェブを通して伸長する、
を備える固定デバイス。
【請求項２】
前記付勢構成は、駆動構成と付勢部材とを備え、前記駆動構成は、前記付勢部材を駆動するように動作可能であり、
前記付勢部材は、前記駆動構成が前記付勢部材を駆動するときに、前記締結構成を前記非締結位置から前記締結位置に付勢するように、前記付勢部材が前記締結構成を係合する、請求項１に記載の固定デバイス。
【請求項３】
前記駆動構成は、駆動部材を備え、前記付勢部材は、前記駆動部材上に据え付けられている、請求項２に記載の固定デバイス。
【請求項４】
前記付勢部材は、前記駆動部材を収容し、その結果、前記締結構成は、前記付勢部材上に設置される、請求項３に記載の固定デバイス。
【請求項５】
前記駆動部材は、細長いねじ部材を備え、前記駆動構成は、前記駆動部材に螺合されているナットをさらに含み、前記ナットは、前記駆動部材によって駆動されるように構成されている、請求項３または４に記載の固定デバイス。
【請求項６】
前記インジケータは、前記空間に沿って動くことができる表示部材を備え、前記表示部材は、前記インジケータが前記表示状態であるときに、前記ウェブを通して伸長する、請求項１ないし５のうちのいずれか一項に記載の固定デバイス。
【請求項７】
前記インジケータが前記表示状態に動かされるときに、前記表示部材が前記ウェブを破る、請求項６に記載の固定デバイス。
【請求項８】
前記表示部材は、前記付勢部材上に設けられる、請求項６または７に記載の固定デバイス。
【請求項９】
前記締結構成は、前記締結位置と前記非締結位置との間で動くことができる弾性締結部材を備え、締結部材が締結位置にあるときに、前記締結部材は、前記物品を係合するように構成されている、請求項１から８のうちのいずれか一項に記載の固定デバイス。
【請求項１０】
前記本体は、前記締結部材と並べた少なくとも１つの外側に拡張する部材を含み、それにより、前記締結構成が前記締結位置にあるときに、前記物品は、前記締結部材と前記外側に拡張する部材または各外側に拡張する部材との間で把持されることができる、請求項９に記載の固定デバイス。
【請求項１１】
前記外側に拡張する部材、または、各外側に拡張する部材は、放射状に外側に拡張するフランジを備える、請求項１０に記載の固定デバイス。
【請求項１２】
前記締結部材は、実質的にＶまたはＵ字形である、請求項９、１０、または１１に記載の固定デバイス。
【請求項１３】
前記締結部材は、対向端部を有し、前記対向端部のそれぞれは、前記締結部材が前記締結位置に動かされるときに、前記ガイド構造によって対向する側の方向の外側に付勢される、請求項９〜１２のうちいずれか一項に記載の固定デバイス。
【請求項１４】
前記ガイド構造は、前記締結部材の端部を係合するための対向する傾斜部を有し、そして、
前記締結部材が前記締結位置に動くときに、前記締結部材は、前記ガイド構造に沿ってスライドする、請求項１３に記載の固定デバイス。
【請求項１５】
前記本体上に、前記物品を保持するための少なくとも１つの保持要素を備え、
前記保持要素または各保持要素は、前記物品のエッジ領域を収容するための凹部を規定する、請求項１〜１４のうちのいずれか一項記載の固定デバイス。
【請求項１６】
前記保持要素または各保持要素は、前記物品の前記エッジ領域を収容することができるスナップフィット要素を備える、請求項１５に記載の固定デバイス。
【請求項１７】
穴の周りの前記エッジ領域により係合すると、前記保持要素が非変形状態から変形できるように、前記保持要素は変形可能であり、前記保持要素は、前記エッジ領域が前記凹部中に収容されたときに、前記非変形状態に戻る、請求項１５または１６に記載の固定デバイス。
【請求項１８】
前記物品のエッジ領域を係合するための少なくとも１つの係合構造をさらに含み、前記係合構造または各係合構造は、前記エッジ領域との摩擦係合をもたらすように前記本体から突出している、請求項１〜１７のうちのいずれか一項に記載の固定デバイス。
【請求項１９】
前記締結構成が前記締結位置に動く際に支援するための締付け部材を備え、前記締付け部材は、締結部材の端部と整列して前記ガイド構造上に配置される、請求項１〜１８のうちのいずれか一項に記載の固定デバイス。
【請求項２０】
請求項１〜１９のうちのいずれか一項に記載の固定デバイスと前記固定デバイスが据え付けられている据え付けデバイスとを備える、吊り具部品。
【手続補正２】
【補正対象書類名】明細書
【補正対象項目名】００７７
【補正方法】変更
【補正の内容】
【００７７】
本体１２は、第１の実施形態よりも第２の実施形態でより浅くなっており、傾斜側１５Ａの角度が第１の実施形態よりも第２の実施形態でより小さくなっている。
ここに、出願当初の特許請求の範囲の記載事項を付記する。
［１］  物品に据え付け可能な固定デバイスにおいて、
前記固定デバイスは、
ガイド構造と、
前記物品を前記固定デバイスに締結するために前記ガイド構造に対して動くことができる締結構成と、
締結位置と非締結位置との間で前記ガイド構造に対して前記締結構成を付勢するように動作可能な付勢構成とを備え、
前記ガイド構造は、前記締結構成を前記締結位置にガイドするように構成されている、固定デバイス。
［２］  前記締結構成が前記締結位置に動かされるときに、前記付勢構成によって、非表示状態から表示状態に動くことができるインジケータをさらに含む、［１］に記載の固定デバイス。
［３］  本体を含み、前記本体は、前記ガイド構造を備える、［２］に記載の固定デバイス。
［４］  前記付勢構成は、駆動構成と付勢部材とを備え、前記駆動構成は、前記付勢部材を駆動するように動作可能である、［３］に記載の固定デバイス。
［５］  前記付勢部材は、前記駆動構成が前記付勢部材を駆動するときに、前記締結構成を前記非締結位置から前記締結位置に付勢するように、前記付勢部材が前記締結構成を係合する、［４］に記載の固定デバイス。
［６］  前記駆動構成は、駆動部材を備え、前記付勢部材は、前記駆動部材上に据え付けられている、［４］または［５］に記載の固定デバイス。
［７］  前記付勢部材は、前記駆動部材を収容し、その結果、前記締結構成は、前記付勢部材上に設置される、［６］に記載の固定デバイス。
［８］  前記駆動部材は、細長いねじ部材を備え、前記駆動構成は、前記駆動部材に螺合されているナットをさらに含み、前記ナットは、前記駆動部材によって駆動されるように構成されている、［６］または［７］に記載の固定デバイス。
［９］  前記本体は、前記インジケータが前記非表示状態から前記表示状態に動くことができる空間を規定する、［４］から［８］のうちのいずれか一項に記載の固定デバイス。
［１０］  前記固定デバイスは、前記空間にわたって拡張するウェブをさらに含む、［９］に記載の固定デバイス。
［１１］    前記インジケータが前記表示状態であるとき、前記インジケータは前記ウェブを通して伸長する、［１０］に記載の固定デバイス。
［１２］  前記インジケータは、前記空間に沿って動くことができる表示部材を備え、前記表示部材は、前記インジケータが前記表示状態であるときに、前記ウェブを通して伸長する、［１０］または［１１］に記載の固定デバイス。
［１３］  前記インジケータが前記表示状態に動かされるときに、前記表示部材が前記ウェブを破る、［１２］に記載の固定デバイス。
［１４］    前記表示部材は、前記付勢部材上に設けられる、［１２］または［１３］に記載の固定デバイス。
［１５］  前記インジケータは、前記表示部材を２つ備える、［１２］から［１４］のうちのいずれか一項に記載の固定デバイス。
［１６］  前記締結構成は、前記締結位置と前記非締結位置との間で動くことができる弾性締結部材を備え、締結部材が締結位置にあるときに、前記締結部材は、前記物品を係合するように構成されている、［３］から［１４］のうちのいずれか一項に記載の固定デバイス。
［１７］    前記本体は、前記締結部材と並べた少なくとも１つの外側に拡張する部材を含み、それにより、前記締結構成が前記締結位置にあるときに、前記物品は、前記締結部材と前記外側に拡張する部材または各外側に拡張する部材との間で把持されることができる、［１６］に記載の固定デバイス。
［１８］  前記外側に拡張する部材、または、各外側に拡張する部材は、放射状に外側に拡張するフランジを備える、［１７］に記載の固定デバイス。
［１９］  前記締結部材は、実質的にＶまたはＵ字形である、［１６］、［１７］、または［１８］に記載の固定デバイス。
［２０］  前記締結部材は、端部を有し、前記端部は、前記締結部材が前記締結位置に動かされるときに、前記ガイド構造によって外側に付勢される、［１６］〜［１９］のうちのいずれか一項に記載の固定デバイス。
［２１］  前記締結部材は、対向端部を有し、前記対向端部のそれぞれは、前記締結部材が前記締結位置に動かされるときに、前記ガイド構造によって対向する側の方向の外側に付勢される、［２０］に記載の固定デバイス。
［２２］  前記ガイド構造は、前記締結部材の前記端部を係合するための対向する傾斜部を有する、［２１］に記載の固定デバイス。
［２３］  前記締結部材が前記締結位置に動くときに、前記締結部材は、前記ガイド構造に沿ってスライドする、［１６］〜［２２］のうちのいずれか一項に記載の固定デバイス。
［２４］  前記本体上に、前記物品を保持するための少なくとも１つの保持要素を備える、［３］〜［２３］のうちのいずれか一項に記載の固定デバイス。
［２５］  前記本体上に、前記物品を保持するための複数の保持要素を備える、［２４］に記載の固定デバイス。
［２６］  前記保持要素または各保持要素は、前記物品のエッジ領域を収容するための凹部を規定する、［２４］または［２５］に記載の固定デバイス。
［２７］  前記保持要素または各保持要素は、前記物品の前記エッジ領域を収容することができるスナップフィット要素を備える、［２６］に記載の固定デバイス。
［２８］  穴の周りの前記エッジ領域により係合すると、前記保持要素が非変形状態から変形できるように、前記保持要素は変形可能であり、前記保持要素は、前記エッジ領域が前記凹部中に収容されたときに、前記非変形状態に戻る、［２６］または［２７］のうちのいずれか一項に記載の固定デバイス。
［２９］  前記物品の前記エッジ領域を係合するための少なくとも１つの係合構造をさらに含み、前記係合構造または各係合構造は、前記エッジ領域との摩擦係合をもたらすように前記本体から突出している、［３］〜［２８］のうちのいずれか一項に記載の固定デバイス。
［３０］  前記締結構成が前記締結位置に動く際に支援するための締付け部材を備え、前記締付け部材は、前記締結部材の前記端部と整列して前記ガイド構造上に配置される、［３］〜［２９］のうちのいずれか一項に記載の固定デバイス。
［３１］  ［１］〜［３０］のうちのいずれか一項に記載の固定デバイスと前記固定デバイスが据え付けられている据え付けデバイスとを備える、吊り具部品。
［３２］  前記据え付けデバイスは、クランプアセンブリを備える、［３１］に記載の吊り具部品。
［３３］  前記据え付けデバイスは、フックまたは把持構成を備える、［３１］に記載の吊り具部品。
［３４］  実質的に、添付図面の図１〜図８を参照してここで説明したような固定デバイス。
［３５］  実質的に、添付図面の図９および図１０を参照してここで説明したような固定デバイス。
［３６］  実質的に、添付図面の図１〜図８を参照してここで説明したような吊り具部品。
［３７］  実質的に、添付図面の図９および図１０を参照してここで説明したような吊り具部品。